(57)【要約】【課題】結び目の部分が型くずれせず、端正な結び目を形成するとともに、繰返し使用しても、結び目の形態が劣化しないようにしたネクタイを提供する。【解決手段】太幅部１１を構成するバイヤス布および細幅部１２を構成するバイヤス布のそれぞれ内側に芯地３１、３２が配されるネクタイにおいて、とくに太幅部１１側の芯地３１の両側であって結び目１４と対応する部位に、その両側に沿って人間の毛髪３５を引揃えて配列し、押え糸３６によって縫付け固定したものである。【選択図】図４
2009052179.tif 000002
【特許請求の範囲】
【請求項１】
結び目となる位置に人間の毛髪によって構成される型くずれ防止手段を配したことを特徴とするネクタイ。
【請求項２】
前記型くずれ防止手段が芯地の結び目と対応する位置においてその両側縁に沿って引揃えて配列された人間の毛髪であることを特徴とする請求項１に記載のネクタイ。
【請求項３】
前記型くずれ防止手段が芯地の結び目と対応する位置において該芯地を切除して配された人間の毛髪から成るネットであることを特徴とする請求項１に記載のネクタイ。
【請求項４】
前記型くずれ防止手段が芯地の結び目と対応する位置においてその両側に沿って順次ループを形成して配列された人間の毛髪であることを特徴とする請求項１に記載のネクタイ。
【請求項５】
前記型くずれ防止手段が芯地の結び目と対応する位置において幅方向に延びるとともにループを形成して配列された人間の毛髪であることを特徴とする請求項１に記載のネクタイ。
【発明の詳細な説明】
【技術分野】
【０００１】
本発明はネクタイに係り、とくにその結び目の部分の型くずれを防止するようにしたネクタイに関する。
【背景技術】
【０００２】
ネクタイは、一般に織目方向と交差する方向に切出された２枚のバイヤス布を用いて縫製して作られる。例えば特開平８−４１７１１号公報には、ネジレを生ぜず、伸縮性に富んで、締め易くて外し易く、締まり心地も良くて、天然繊維の採用によって復元性に富み、形態を長期に渡って保ち易くするようにしたネクタイの縫製方法が開示されている。この縫製方法は、表生地および芯生地から表地、芯地をネクタイの大剣先部から小剣先部までの全長にわたる長さで多数に区画し、かつ、展開形状で裁断し、しかる後に、表地の裏面に大剣先裏地、小剣先裏地および芯地を縫着すると共に表地が表面に現れるように裏返して、大剣先、中ハギ、小剣先の継ぎ目が無くなるようにしたものである。
【０００３】
また特開２００３−２０５０９号公報には、ネクタイの結び目の装飾性に優れたネクタイを提供するものであって、ネクタイの芯地に切抜き又は両サイドカットを形成することによって、結び目に均整のとれたえくぼを形成し、幅広のネクタイであっても、繰り返し使用してもネクタイの風合いを保ち、さらに位置付けマークによってネクタイの緊締位置を一定化するようにしたネクタイが開示されている。
【０００４】
このようなネクタイは、結び目の部分にえくぼを形成することができるものの、結び目の形態維持性が必ずしも十分ではなく、とくに長期間に亙って結び目の形態を確実に維持することができない欠点がある。
【０００５】
特開２００４−１６９２５７号公報には、ネクタイを厚くする方法として、ネクタイ芯地を三重織物とし、その三重織物の第二層の部分に多くの空間を形成することによって、ネクタイを締めた時の波打ち現象や縫目を起因とした筋も解消され、ボリューム感のある優れた外観と、締め心地の良いネクタイを提供するものであって、三重織物のネクタイ芯地の第二層の織物が第一層及び第三層の織物に結節されており、第一層及び第三層の織密度がほぼ同一であって、第二層の織密度が第一層及び第三層の織密度の１５〜９０％となされていて、第二層に空間を形成したネクタイ芯地が開示されている。
【０００６】
このような構造のネクタイ芯地を用いると、芯地の厚さが厚いためにとくに結び目の部分がボリューム感を有することになる。しかるにこのようなネクタイは、その厚さを不必要に厚くする欠点があり、また寒冷期においてはとくに違和感がないものの、その他の季節には暑い感じを与えることになり、季節的に利用が制限されることになる。また結び目の形態維持性が三重織物の芯地によって必ずしも確実に確保されるわけではない。
【特許文献１】特開平８−４１７１１号公報
【特許文献２】特開２００３−２０５０９号公報
【特許文献３】特開２００４−１６９２５７号公報
【発明の開示】
【発明が解決しようとする課題】
【０００７】
本願発明の課題は、とくに結び目の部分が良好な形態を維持するようにしたネクタイを提供することである。
【０００８】
本願発明の別の課題は、結び目の部分のボリューム感が増大することがなく、しかもその形態性が改善されるようにしたネクタイを提供することである。
【０００９】
本願発明のさらに別の課題は、夏季でもなお暑さを感じなく、しかも結び目の部分が良好な形態維持性を有するネクタイを提供することである。
【００１０】
本願発明のさらに別の課題は、ボリューム感が増大することがなく、しかも結び目の部分が優れた形態維持性を生ずるようにしたネクタイを提供することである。
【００１１】
本願発明の上記の課題および別の課題は、以下に述べる本願発明の技術的思想およびその実施の形態によって明らかにされる。
【課題を解決するための手段】
【００１２】
本願の主要な発明は、結び目となる位置に人間の毛髪によって構成される型くずれ防止手段を配したことを特徴とするネクタイに関するものである。
【００１３】
ここで、前記型くずれ防止手段が芯地の結び目と対応する位置においてその両側縁に沿って引揃えて配列された人間の毛髪であってよい。また前記型くずれ防止手段が芯地の結び目と対応する位置において該芯地を切除して配された人間の毛髪から成るネットであってよい。また前記型くずれ防止手段が芯地の結び目と対応する位置においてその両側に沿って順次ループを形成して配列された人間の毛髪であってよい。また前記型くずれ防止手段が芯地の結び目と対応する位置において幅方向に延びるとともにループを形成して配列された人間の毛髪であってよい。
【発明の効果】
【００１４】
本願の主要な発明は、結び目となる位置に人間の毛髪によって構成される型くずれ防止手段を配したものである。
【００１５】
従ってこのようなネクタイによると、結び目となる位置に配された人間の毛髪から成る型くずれ防止手段によって、結び目の部分の形態維持性が発揮され、結び目が安定な状態で維持されるようになる。
【発明を実施するための最良の形態】
【００１６】
以下本願発明を図示の実施の形態によって説明する。図１に示すように、ネクタイは、布から成る長尺の帯状体であって、一端側が太幅部１１から構成され、他端側が細幅部１２から構成されている。そして例えばワイシャツの襟の部分に巻付けられるとともに、襟の前端側において結び目１４によって締着されるようになっている。とくにこのようなネクタイは、結び目１４の部分が端正であって、美しい形態を維持することが重要である。
【００１７】
次にネクタイの表地は、図２に示す太幅部１１と、図３に示す細幅部１２とを組立てて構成される。図２に示す太幅部１１は、その両側にそれぞれ折目１７、１８が形成されるとともに、折目１７の外側にはさらに折目１９が形成されることになる。また太幅部１１の先端側であって大剣先部は、折目２０の部分で折曲げられる。
【００１８】
これに対して図３に示す細幅部１２は、折目２３、２４がその両側に形成されるとともに、折目２３の外側にはさらに折目２５が形成される。また小剣先部を構成する上端側には、折目２６が形成される。
【００１９】
図２に示す太幅部１１と図３に示す細幅部１２とは、それらが互いに斜めの切断線のところで縫合わされる。さらに太幅部１１についは、芯地を内側に折込んで折目１７、１８、１９、２０のところで折曲げて縫合わせる。また幅細幅部１２については、折目２３、２４、２５、２６のところでそれぞれ折曲げるとともに、内側に芯地を挿入して縫合わせるようにする。これによって図１に示すようなネクタイが縫製される。
【００２０】
本発明のネクタイの特徴は、とくに図４に示すように、その芯地３１、３２にあり、とくに太幅部の芯地３１については、図４Ａに示すように、その上端側であって結び目と対応する部分に、両側にそれぞれ人間の毛髪３５を両側縁に沿って引揃えて取付けるようにしたものであって、人間の毛髪３５が引揃えた状態で押え糸３６によって芯地３１の両側縁に固定される。
【００２１】
なお細幅部の芯地３２についても、図４Ｂに示すように、その結び目と対応する位置において、人間の毛髪３５が配列され、押え糸３６によって押えられる。なお細幅部の芯地３２については、必ずしも人間の毛髪３５による型くずれ防止手段を配する必要がなく、太幅部の芯地３１のみに人間の毛髪３５を押え糸３６で押えるようにしてもよい。
【００２２】
一般に人間の頭部の毛髪は、剛直性に富み、このような剛直性を有する毛髪３５を芯地３１の結び目と対応する部分においてその両側に配列しているために、結び目１４の部分の形態維持性に優れたネクタイとなる。すなわち繰返し使用しても、結び目１４の部分で型くずれを生ずることがなく、これによって端麗な結び目１４を常に形成することが可能になる。
【００２３】
なおこのような型くずれ防止手段を構成する人間の毛髪としては、とくに女性の毛髪であって、カールしないストレートな毛髪を用いることが好適である。このような毛髪は、例えば天然毛髪を用いたかつら材料等に用いられる毛髪と同様の毛髪である。このような毛髪によって、芯地３１の結び目１４と対応する部分の形態維持性が改善されることになる。
【００２４】
次に別の実施の形態を図５によって説明する。この実施の形態は、太幅部１１の芯地３１の長さ方向の中間部分を除去して切除部４０を形成する。そしてこの切除部４０の部分に、例えば人間の毛髪から成るネット４３を取付けるようにし、ネット４３を介して芯地３１の両側の部分が互いに連結された構造とする。なお細幅部の芯地３２についても、図５Ｂに示すように、切除部４１を連結するように、ネット４４を配し、このネット４４によって切除部４１の両側を互いに連結するようにしてもよい。このような芯地３１、３２の切除部４０、４１を連結するネット４３、４４は、人間の毛髪を用いて任意に作られたネットであってよい。またこのネットの毛髪の交錯点は、例えば接着剤で結合固定されている。そしてこのようなネットは、比較的剛直性に富んだ人間の毛髪から作られているために、芯地３１、３２の結び目と対応する部分が高い形態維持性を発揮するようになり、これによってとくに結び目１４の部分の型くずれが防止され、端正な結び目１４を繰返して形成できるようになる。従って繰返し使用しても、型くずれがしないネクタイを提供できるようになる。
【００２５】
図６はさらに別の実施の形態を示している。ここでとくに図６Ａは、人間の毛髪を芯地３１の両側であって結び目１４と対応する部分に配列している。ここで人間の毛髪４７は、順次ループを形成するように屈曲させた状態で芯地３１の両側にそれぞれ配列され、押え糸によって押えられるようになっている。またループを構成する毛髪の交錯点は、接着剤によって固定されている。従ってこのような芯地３１の両側の人間の毛髪４７によって、芯地３１に対して良好な形態維持性を付与することが可能になる。
【００２６】
図６Ｂは、芯地３１のとくに結び目１４と対応する部分において、その幅方向に人間の毛髪５０を縫付けたものである。ここでも人間の毛髪５０は順次ループを形成するように屈曲した状態で押え糸等によって押えられて芯地３１に取付けられる。従ってこのような構成によっても、人間の毛髪５０による結び目の形態維持性が付与されることになり、良好な形態を維持できるような結び目を有するネクタイが提供されることになる。
【００２７】
以上本願発明を図示の実施の形態によって説明したが、本願発明は上記実施の形態によって限定されることなく、本願に含まれる発明の技術的思想の範囲内において各種の変更が可能である。例えば芯地３1に対する人間の毛髪の取付けの方法については、必ずしも押え糸３６を用いることなく、例えば接着等の手段によって固定してもよい。また人間の毛髪の数や配列ピッチ等については、使用するネクタイの厚さ等に応じて各種の変更が可能である。
【産業上の利用可能性】
【００２８】
本願発明は、結び目の形態維持性に優れたネクタイに利用することが可能である。
【図面の簡単な説明】
【００２９】
【図１】結び目を形成した使用状態のネクタイを示す正面図である。
【図２】太幅部を構成するバイヤス布の展開平面図である。
【図３】細幅部を構成するバイヤス布の展開平面図である。
【図４】人間の毛髪から成る型くずれ防止手段を設けた芯地の平面図である。
【図５】別の型くずれ防止手段を設けた芯地の平面図である。
【図６】さらに別の型くずれ防止手段を設けた芯地の平面図である。
【符号の説明】
【００３０】
１１  太幅部
１２  細幅部
１４  結び目
１７〜２０  折目
２３〜２６  折目
３１  芯地（太幅部）
３２  芯地（細幅部）
３５  人間の毛髪
３６  押え糸
４０、４１  切除部
４３、４４  ネット
４７  人間の毛髪
５０  人間の毛髪
【図１】
2009052179.tif 000003
【図２】
2009052179.tif 000004
【図３】
2009052179.tif 000005
【図４】
2009052179.tif 000006
【図５】
2009052179.tif 000007
【図６】
2009052179.tif 000008